(57)【要約】【課題】容易に設定変更することができるデジタルカメラを提供する。【解決手段】設定保存モード下において、アンテナ２６と交信可能な範囲に設定保存カード２７を配して設定保存を開始すると、内蔵メモリ２５に記録されている設定データは、アンテナ２６より送信されて設定保存カード２７に保存される。また、アンテナ２６と交信可能な範囲に設定データが保存された設定保存カード２７を配して設定更新を開始すると、マイクロコンピュータ１２は、設定保存カード２７に保存された設定データをアンテナ２６より受信して内蔵メモリ２５に記録されている設定データを書き換える。【選択図】        図１
2004172999.tif 000002
【特許請求の範囲】
【請求項１】
撮影処理又は記録された画像データに基づく画像再生処理の少なくともいずれかの処理を行うときに用いられる設定データを入力する操作部と、操作部から入力された設定データを格納するデータメモリとを備えたデジタルカメラにおいて、
外部メモリとの間で無線により前記設定データの送受信を行う無線通信手段と、この無線通信手段が前記外部メモリからの設定データを受信したときには、前記データメモリに格納されている設定データを受信した設定データに更新するデータ更新手段とを有することを特徴とするデジタルカメラ。
【請求項２】
前記無線通信手段を送信モードで作動させることにより、データメモリに格納された設定データを前記外部メモリに送信して外部メモリ上で設定データの記録又は更新ができるようにしたことを特徴とする請求項１記載のデジタルカメラ。
【請求項３】
前記撮影処理は撮像で得られた画像データを記録媒体に書き込む画像データ記録処理を含み、この画像データ記録処理の実行時には、データメモリから読み出された設定データが指定するフォルダに画像データが書き込まれることを特徴とする請求項１又は２記載のデジタルカメラ。
【発明の詳細な説明】
【０００１】
【発明の属する技術分野】
本発明は、デジタルカメラに関するものであり、更に詳しくは、外部より設定データを受信して設定データの更新を行うデジタルカメラに関するものである。
【０００２】
【従来の技術】
ＣＣＤイメージセンサなどの撮像手段から得られた撮像信号を画像データにデジタル変換してメモリカード等に記録し、この記録された画像データを画像として画像表示用モニタに表示するデジタルカメラが広く用いられている。これらのデジタルカメラには、撮影に関してユーザが任意に設定することができる設定条件や設定項目が多種設けられている。これらの設定条件や設定項目は、各種操作キーによる設定データの入力を通して変更される。これによりユーザは嗜好に合わせて、例えば、撮影下におけるシャッタスピード、絞り値、ホワイトバランスや画像再生下における画質、１コマごとの表示とするか数コマをまとめて表示するインデックス表示とするかなどの再生表示方法等を設定することができる。
【０００３】
一方、通常撮像で得られる画像データは撮影した順に記憶されるため、カメラを複数人が使用した場合には、画像データを画像として再生する際に、各人の撮影画像を容易に探し出すことができなかった。このため、ユーザを特定するための個人データをカメラ内部のメモリに記録させておき、撮影して得られた画像データを個人データに基づいてユーザ別に整理して記録するカメラが知られている（例えば、特許文献１参照）。
【０００４】
【特許文献１】
特開２００２−１０１３２５号公報
【０００５】
【発明が解決しようとする課題】
ところで、カメラを複数人で使用する場合には、ユーザが代わるごとに各人の嗜好に合うように設定条件や設定項目を設定変更する必要がある。しかし、従来の各種操作キーにより設定データを入力する方法では手間が掛かるため、ユーザ別に設定データを記録することができれば各々ユーザにとって便利になると考えられる。そこで、特許文献１記載のカメラのように設定データをユーザ別にカメラ内部に記録することが考えられるが、常に特定のカメラを使用するとは限らないので、使用するカメラが替わるごとに各種操作キーによる設定変更を行うことになり手間が掛かり煩わしさを与えてしまう。
【０００６】
本発明は、上記背景を考慮してなされたもので、容易に設定変更することができるデジタルカメラを提供することを目的とする。
【０００７】
【課題を解決するための手段】
上記目的を達成するために、本発明では、撮影処理又は記録された画像データに基づく画像再生処理の少なくともいずれかの処理を行うときに用いられる設定データを入力する操作部と、操作部から入力された設定データを格納するデータメモリとを備えたデジタルカメラにおいて、外部メモリとの間で無線により前記設定データの送受信を行う無線通信手段と、この無線通信手段が前記外部メモリからの設定データを受信したときには、前記データメモリに格納されている設定データを受信した設定データに更新するデータ更新手段とを有している。
【０００８】
また、前記無線通信手段を送信モードで作動させることにより、データメモリに格納された設定データを前記外部メモリに送信して外部メモリ上で設定データの記録又は更新ができるようにしている。
【０００９】
また、前記撮影処理は撮像で得られた画像データを記録媒体に書き込む画像データ記録処理を含み、この画像データ記録処理の実行時には、データメモリから読み出された設定データが指定するフォルダに画像データが書き込まれるようにしている。
【００１０】
【発明の実施の形態】
図１は、本発明を実施したデジタルカメラ１０の電気的構成の概略を示している。カメラ本体１１内には、カメラ各部を統括的に制御するマイクロコンピュータ１２が設けられている。このマイクロコンピュータ１２は、操作部１３から入力される操作信号を一定周期でモニタしている。操作部１３は、電源ボタン，レリーズボタン，動作モードを切り換えるモード選択ダイヤルやシャッタスピード、絞り値、ホワイトバランス等の各種設定条件の設定変更に使用される十字キー等からなる。デジタルカメラ１０の動作モードとしては、撮影を実行する撮影モード，撮影画像を再生する再生モード，操作部１３により設定される各種設定条件を設定データとして保存する設定保存モード等がある。
【００１１】
ＲＯＭ１４には、各種制御用のプログラムが記録されており、マイクロコンピュータ１２は、これらのプログラムをＲＯＭ１４から作業用メモリであるＲＡＭ１５にロードして、各種の処理を実行する。ＲＡＭ１５としては、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が使用される。
【００１２】
撮影モード下では、レリーズボタンが押されると、撮像部１６によって撮像が行われ、撮像された画像データが、カメラ本体１１に着脱自在にセットされるメモリーカード１７に記録される。撮像部１６は、撮影レンズ，ＣＣＤイメージセンサ，ズーミングや焦点調節を行うためのレンズ移動機構，絞り切り換え機構等からなる。
【００１３】
ＣＣＤイメージセンサは、周知のように、被写体光を光電変換してアナログの撮像信号に変換する。アナログの撮像信号は、Ａ／Ｄコンバータによってデジタルデータに変換された後、ＲＡＭ１５に一時的に書き込まれる。画像処理部１９は、ＲＡＭ１５に書き込まれた画像データに対して、ガンマ補正，シャープネス補正，コントラスト補正等の各種画質補正処理を施した後、処理済みのデータをＪＰＥＧなどの圧縮形式で圧縮する。この圧縮された画像データが、メディアコントローラ１８によってメモリーカード１７に書き込まれる。
【００１４】
再生モード下では、メモリーカード１７から画像データが読み出されて、画像処理部１９において、伸張処理がされた後リサイズ処理が施され、画素数の少ない表示用画像データが作成される。この表示用画像データがＲＡＭ１５内のＶＲＡＭエリアに書き込まれる。ビデオエンコーダ２０は、表示用画像データをアナログのコンポジット信号に変換してＬＣＤ２１に出力する。これによりＬＣＤ２１に画像が再生表示される。
【００１５】
電源回路２２は、本体１１に着脱自在にセットされるバッテリ２３や、商用電源から供給された電源を本体１１内の各部に分配する。電源入力端子２４は、商用電源から給電を受ける際にＡＣアダプタが接続される端子である。
【００１６】
操作部１３より入力される設定データは、マイクロコンピュータ１２により内蔵メモリ２５に書き込まれる。この内蔵メモリ２５に書き込まれた設定データに基づいてカメラ本体１１の設定が行われる。また、内蔵メモリ２５に記録された設定データは、アンテナ２６を介して設定保存カード２７に保存することができる。
【００１７】
設定保存カード２７には、非接触型ＩＣメモリ２８が組み込まれている。この非接触型ＩＣメモリ２８は、設定データを記録するＩＣメモリチップ２８ａと、このＩＣメモリチップ２８ａに無線によるアクセスできるように電磁波を送受信するアンテナ部２８ｂとからなる。
【００１８】
ＩＣメモリチップ２８ａとしては、記憶保持動作に給電が不要な不揮発性メモリが使用される。ＩＣメモリチップ２８ａへ設定データを書き込んだり、そこに書き込まれた設定データを読み取る場合など、非接触型ＩＣメモリ２８を動作させるための電力は、アンテナ２６から送信される電磁波をキャリアとして供給される。また、非接触型ＩＣメモリ２８の交信距離は電磁波の種類やその強弱によって異なるが、おおよそ数ｍｍ程度〜数十センチ程度の範囲である。どの程度の交信距離を持つ非接触型ＩＣメモリ２８を使用するかは、アンテナ２６を設ける場所等によって適宜決められる。また、アンテナ２６は、設定保存カード２７の有無を一定周期でモニタしている。
【００１９】
上記構成による作用について図３及び図４に示すフローチャートに従って説明する。設定保存モード下において、アンテナ２６と交信可能な範囲に設定保存カード２７を配すと、マイクロコンピュータ１２は、設定保存を行なうか否かを確認するメニューをＲＯＭ１４より読み出しＬＣＤ２１に表示する。設定保存を行なうことが選択されると、内蔵メモリ２５に記録されている設定データは、アンテナ２６を介して設定保存カード２７に送信され保存される。また、設定保存カード２７に設定データが既に保存されている場合には、設定データの更新が行われる。
【００２０】
設定保存モードが選択された後、一定時間内、例えば３０秒内に設定保存カード２７がアンテナ２６と交信可能な範囲に配されない場合、及び設定保存を行なうか否かの選択において、設定保存を行なわないことが選択された場合には、マイクロコンピュータ１２は、設定保存を中止するか否かの最終選択メニューをＬＣＤ２１に表示する。設定保存を中止しないことが選択されると、設定保存モードをリセットする。
【００２１】
設定保存モードを非選択にしてアンテナ２６と交信可能な範囲に設定データが保存された設定保存カード２７を配すと、内蔵メモリ２５に記録されている設定データを設定保存カード２７に保存された設定データに更新するか否かの選択メニューがＬＣＤ２１に表示される。設定更新を行うことが選択されると、ＬＣＤ２１に設定更新を開始するか否かの選択メニューが表示される。設定更新を開始することが選択されると、マイクロコンピュータ１２は、設定保存カード２７に保存された設定データをアンテナ２６より受信して内蔵メモリ２５に書き込む。
【００２２】
設定更新を行なわないことが選択された場合、及び設定更新を開始しないことが選択された場合には、設定更新を中止するか否かの最終選択メニューがＬＣＤ２１に表示される。設定更新を中止しないことが選択された場合には、本体１１は、アンテナ２６が設定保存カード２７の有無を一定周期でモニタする通常状態に戻る。
【００２３】
撮影で得られた画像データは、内蔵メモリ２５に記録されている設定データが指定するメモリカード１７上のフォルダに記録される。つまり、撮影で得られた画像データは内蔵メモリ２５に記録されている設定データに関連づけられ記録されることになる。再生モード下において、アンテナ２６と交信可能な範囲に設定保存カード２７を配すと、設定保存カード２７に保存された設定データは、アンテナ２６を介して内蔵メモリ２５に書き込まれる。マイクロコンピュータ１２は、設定保存カード２７より受信して内蔵メモリ２５に書き込まれた設定データを読み出して、この設定データに関連づけられ記録された画像データをメモリカード１７より読み出して画像としてＬＣＤ２１に表示する。
【発明の効果】
以上説明したように、本発明のデジタルカメラによれば、カメラ外部に保存されている設定データを無線により受信することにより、設定データを更新することができるので、ユーザは煩わしさを感じることなく容易に設定変更することができる
【図面の簡単な説明】
【図１】デジタルカメラの電気構成を示すブロック図である。
【図２】設定データの更新手順を示すフローチャートである。
【図３】設定データに関連した画像再生処理手順を示すフローチャートである。
【符号の説明】
１０  デジタルカメラ
１１  カメラ本体
１３  操作部
２５  内蔵メモリ
２６  アンテナ
２７  設定保存カード
２８  非接触型ＩＣメモリ
【図１】
2004172999.tif 000003
【図２】
2004172999.tif 000004
【図３】
2004172999.tif 000005